(57)【要約】      （修正有）【課題】特にスカート要素の固定方法を見直すことにより、水中でのスカートの効果的ななびきを実現するとともに、スカートの広がりを増大することができる、新規なスピナーベイトを提供する。【解決手段】スカート５は、その中心部において線材５１をヘッド１の側周部に巻きつけることにより側周方向にスカート要素５０が均等に分布するように固定されるものであり、更に結線部５２から後方に位置するスカート要素５０は、付勢具６によって結線部５２から前方に折り返された状態で付勢された状態となり、使用時には、この状態からすべてのスカート要素５０が付勢具６より後方に位置するように後方に折り返された状態となるものであることを特徴とする。【選択図】図１
0003186351.tif 000002
【実用新案登録請求の範囲】
【請求項１】
錘として機能するヘッドと、このヘッドの後方に位置するフックと、前記ヘッドの前方斜め上方に伸びるとともに、ラインアイが形成され、このラインアイから斜め後方に伸びるように形成されたアームと、前記アームにおける上部後方付近に回転可能な状態で設けられるブレードとが具えられるとともに、前記ヘッドの後部に対してスカートが具えられ、ラインアイに接続されるラインを引くことにより、前記ブレードを水流によって回転させ、この回転時に生じる振動によって前記スカートに小魚の群れ様の動きを擬似的に再現させることにより、対象魚の捕食を誘うように構成されたスピナーベイトにおいて、前記スカートは、その中心部において線材をヘッドの側周部に巻きつけることにより側周方向にスカート要素が均等に分布するように固定されるものであり、更に結線部から後方に位置するスカート要素は、付勢具によって結線部から前方に折り返された状態で付勢された状態となり、使用時には、この状態からすべてのスカート要素が付勢具より後方に位置するように後方に折り返された状態となるものであることを特徴とするスピナーベイト。
【請求項２】
前記付勢具は、Ｏリングが適用されたものであることを特徴とする請求項１記載のスピナーベイト。
【請求項３】
前記ヘッドには、付勢具を受け入れるための溝が形成されていることを特徴とする請求項１または２記載のスピナーベイト。
【考案の詳細な説明】
【技術分野】
【０００１】
本考案は小魚の群れ様の動きを擬似的に再現するためのスカートが具えられたルアーに関するものであって、特に水中でのスカートの効果的ななびきを実現することができるスピナーベイトに係るものである。
【背景技術】
【０００２】
バスフィッシング等に供されるルアーの一種に、スピナーベイトと呼ばれるものがある。このものは図４に示すように、錘として機能するヘッド１′と、このヘッド１′の後方に位置するフック２′と、前記ヘッド１′の前方斜め上方に伸びるとともに、ラインアイ３０′が形成され、このラインアイ３０′から斜め後方に伸びるように形成されたアーム３′と、前記アーム３′における上部後方付近に回転可能な状態で設けられるブレード４′とが具えられるとともに、前記ヘッド１′の後部に対してスカート５′が具えられ、ラインアイ３０′に接続されるラインＬを引くことにより、前記ブレード４′を水流によって回転させ、この回転時に生じる振動によって前記スカート５′をなびかせて、小魚の群れ様の動きを擬似的に再現させることにより、対象魚の捕食を誘うように構成されたものである（例えば特許文献１参照）。
【０００３】
このようなスピナーベイトＳ′において、前記スカート５′をヘッド１′に装着するにあたっては図４（ａ）に示すように、シリコーンゴム等で形成された細紐状のスカート要素５０′を、ヘッド１′の側周方向に均等に分布するように配置し、スカート要素５０′の略中心部において、線材５１′をスカート要素５０′の上からヘッド１′の側周部に巻きつけることにより固定されるものである。
そして結線部５２′から前方に位置するスカート要素５０′は、図４（ｂ）に示すように結線部５２′から後方側に折り返された状態とされることにより、後方に位置するスカート要素５０′の外側を広がるように覆うこととなる。
そして各スカート要素５０′がなびくことにより、小魚の群れ様の動きを擬似的に再現することとなるが、各スカート要素５０′はどうしても密集した状態となってしまうため、各要素の自由度が低下してしまい、効果的な演出が十分になされているとは言えなかった。
またフック２′に対してアシストフック２１′が装着される場合には、このものをスカート５′内に収めることができず、スカート５′を捕食しようとする対象魚のヒット率の向上に結び付かなかった。
【先行技術文献】
【特許文献】
【０００４】
【特許文献１】特開２０１２―１４７７０１
【考案の概要】
【考案が解決しようとする課題】
【０００５】
本考案はこのような現状を考慮してなされたものであって、特にスカート要素の固定方法を見直すことにより、水中でのスカートの効果的ななびきを実現するとともに、スカートの広がりを増大することができる、新規なスピナーベイトの開発を技術課題としたものである。
【課題を解決するための手段】
【０００６】
すなわち請求項１記載のスピナーベイトは、錘として機能するヘッドと、このヘッドの後方に位置するフックと、前記ヘッドの前方斜め上方に伸びるとともに、ラインアイが形成され、このラインアイから斜め後方に伸びるように形成されたアームと、前記アームにおける上部後方付近に回転可能な状態で設けられるブレードとが具えられるとともに、前記ヘッドの後部に対してスカートが具えられ、ラインアイに接続されるラインを引くことにより、前記ブレードを水流によって回転させ、この回転時に生じる振動によって前記スカートに小魚の群れ様の動きを擬似的に再現させることにより、対象魚の捕食を誘うように構成されたスピナーベイトにおいて、前記スカートは、その中心部において線材をヘッドの側周部に巻きつけることにより側周方向にスカート要素が均等に分布するように固定されるものであり、更に結線部から後方に位置するスカート要素は、付勢具によって結線部から前方に折り返された状態で付勢された状態となり、使用時には、この状態からすべてのスカート要素が付勢具より後方に位置するように後方に折り返された状態となるものであることを特徴として成るものである。
またフックに対してアシストフックが装着される場合、このアシストフックをスカートの広がり内に収めることができ、スカートを捕食しようとする対象魚のヒット率を向上させることができる。
【０００７】
また請求項２記載のスピナーベイトは、前記要件に加え、前記付勢具は、Ｏリングが適用されたものであることを特徴として成るものである。
【０００８】
更にまた請求項３記載のスピナーベイトは、前記要件に加え、前記ヘッドには、付勢具を受け入れるための溝が形成されていることを特徴として成るものである。
そしてこれら各請求項記載の考案の構成を手段として前記課題の解決が図られる。
【考案の効果】
【０００９】
まず請求項１記載の本考案によれば、結線時に結線部から後方に位置していたスカート要素が、付勢具によって結線部から前方側に折り返された状態とされ、更にこの状態からすべてのスカート要素が結線部から後方側に折り返された状態とされることにより、スカート要素の外側への広がりを大きなものとすることができる。
この結果、各スカート要素の自由度が確保され、個々のスカート要素が広範囲でなびくことにより、小魚の群れ様の動きを擬似的に再現する演出を効果的に行うことができる。
そしてスピナーベイトがこのような動作を行うことにより、集魚効果を高めることができる。
【００１０】
また請求項２記載の本考案によれば、スカート要素の付勢保持を、容易、安全且つ確実に行うことが可能となる。
【００１１】
更にまた請求項３記載の本考案によれば、スカート要素の付勢保持を、より確実なものとすることができる。
【図面の簡単な説明】
【００１２】
【図１】本考案のスピナーベイトを一部透視して示す側面図である。
【図２】ヘッド及びこのものに一体化されるフック及びアームを示す側面図である。
【図３】ヘッドに対してスカートを装着する様子を段階的に示す側面図である。
【図４】従来のスピナーベイトを一部透視して示す側面図である。
【考案を実施するための形態】
【００１３】
以下本考案のスピナーベイトについて、図示の実施例に基づいて具体的に説明する。なおこの実施例に対して本考案の技術的思想の範囲内における技術的改変を加えることも可能である。
【実施例】
【００１４】
図中、符号Ｓで示すものが本考案のスピナーベイトであって、このものは錘として機能するヘッド１と、このヘッド１の後方に位置するフック２と、前記ヘッド１の前方斜め上方に伸びるとともに、ラインアイ３０が形成され、このラインアイ３０から斜め後方に伸びるように形成されたアーム３と、前記アーム３における上部後方付近に回転可能な状態で設けられるブレード４とが具えられるとともに、前記ヘッド１の後部に対してスカート５が具えられて成るルアーである。
そして実際の使用時には、アングラーがリトリーブやロッドアクションによって、ラインアイ３０に接続されるラインＬを引くことにより、前記ブレード４を水流によって回転させ、この回転時に生じる振動によって前記スカート５をなびかせて、小魚の群れ様の動きを擬似的に再現させる演出を行うことにより対象魚の捕食を誘うものである。
【００１５】
前記ヘッド１は錘として機能してスピナーベイトを安定させる部材であり、且つフック２の前方に位置し、障害物を弾いてフック２に掛かってしまうことを防ぐ役割を担う部材である。
この実施例では一例として図２に示すように、水を受け流すような流線形に鉛を成型してヘッド１が構成されるものであり、更に魚の頭部に模した形状とするとともに、後方側にスカート５を挿着するための細径部１０を形成した。
更にまたこの実施例では、細径部１０の一部には、付勢具６を受け入れるための溝１１が、側周部に沿って複数形成されるようにした。
なお前記フック２の根元部分及びアーム３の下端部がヘッド１に鋳込まれて一体化されるものである。
また本明細書中においては、魚の頭部に模した形状とされるヘッド１が向く方向を前方とする。
なお図２に示したアーム３は、後述するブレード４のシングルタイプの具備態様に対応したものである。
【００１６】
また前記フック２は一例としてシングルフックが適用されるものであり、正面視において、ラインＬが結ばれるラインアイ３０及びヘッド１と同一の垂直面内に位置させることにより、アシ等の障害物にヘッド１が先に当たることとなるため、根掛りを防止することが可能となっている。
またこの実施例ではフック２に対して、これより小さめのアシストフック２１を設けるものであり、ビーズ２２によってその位置が固定される。
【００１７】
また前記アーム３は金属線材を曲げ加工して形成されるものであり、前記ヘッド１の前方斜め上方に伸びる主杆３１と、線材の中央付近を円弧状に曲げて形成されるラインアイ３０と、このラインアイ３０から一部湾曲しながら斜め後方に伸びるように形成される振動杆３２が形成されたものである。
【００１８】
また前記ブレード４は、ステンレス等の金属素材がスプーンのさら状に形成されたものであり、水流を受けて回転する部材である。この形状については、大別して、木の葉状のウィローブレードタイプ、円形に近いコロラドタイプ、これらの中間のインディアナタイプとして区別されている。
そしてブレード４の具備態様としては、単体で具えるシングルタイプ、同一タイプのものを二個具えるダブルタイプ、異なるタイプのものを組み合わせて具えるタンデムタイプが適宜選択されるものであり、図１に示したものはダブルタイプである。
なおブレード４は、スイベル４１またはクレビス４２を用いて振動杆３２に装着されるものであり、クレビス４２を用いる場合には、ビーズ４３によってその位置が固定される。
【００１９】
また前記スカート５は、シリコンゴム等を素材として成る細紐状のスカート要素５０が複数本用いられるものであり、ヘッド１の細径部１０の側周方向にスカート要素５０が均等に分布するようにした状態で（図３（ａ）参照）、スカート要素５０の略中心部において線材５１を巻きつけることにより固定される（図３（ｂ）参照）。なお線材５１をを巻きつけた個所を結線部５２と呼ぶ。
【００２０】
そして本考案の特徴的部材である付勢具６を用いて、結線部５２から後方に位置するスカート要素５０を、結線部５２から前方に折り返された状態に付勢するものである。
この実施例では、付勢具６としてＯリングが適用されるものであり、結線部５２から後方に位置するスカート要素５０を、結線部５２から前方に折り返した状態で、フック２の先端から通した付勢具６を溝１１に嵌め込むことにより、スカート要素５０の形態を固定する（図３（ｃ）、（ｄ）参照）。
そして全てのスカート要素５０を図３（ｅ）に示すように結線部５２から後方に折り返された状態とする。このような使用時のスカート５の広がり態様は、図４（ｂ）に示す従来のスピナーベイトＳ′におけるスカート５′の広がり態様よりも大きなものとなる。このため図３（ｆ）に示すように、フック２に対してアシストフック２１を装着した状態で、このアシストフック２１がスカート５内に収まることとなる。
【００２１】
以上述べたように本考案のスピナーベイトＳは、各スカート要素５０の自由度が確保され、実際の使用時には、ブレード４の回転によって生じる振動により、個々のスカート要素５０が広範囲でなびくことにより、小魚の群れ様の動きを擬似的に再現する演出を効果的に行うことができる。そしてスピナーベイトがこのような動作を行うことにより、集魚効果を高め、良好な釣果を期待することができる。
【００２２】
〔他の実施例〕
上述した基本となる実施例においては、付勢具６としてＯリングを用いたが、この他にも、線材を用いてスカート要素５０を結線したり、二つのＣリングを組み合わせてスカート要素５０を固定するようにすることもできる。
【符号の説明】
【００２３】
Ｓ    スピナーベイト
１    ヘッド
１０  細径部
１１  溝
２    フック
２１  アシストフック
２２  ビーズ
３    アーム
３０  ラインアイ
３１  主杆
３２  振動杆
４    ブレード
４１  スイベル
４２  クレビス
４３  ビーズ
５    スカート
５０  スカート要素
５１  線材
５２  結線部
６    付勢具
Ｌ    ライン
【図１】
0003186351.tif 000003
【図２】
0003186351.tif 000004
【図３】
0003186351.tif 000005
【図４】
0003186351.tif 000006